(57)【要約】【課題】堰堤の上流側に、前記堰堤とは切り離した構造で、かつ、隣接する流木捕捉体（の基礎同士）も切り離した構造で実施することにより、使用するコンクリート量を抑制でき、対策の必要な箇所に最適な配置で設置できる、施工性、経済性、及び自在性に優れた流木捕捉体および流木捕捉体の構築工法ならびに流木捕捉工の設置構造を提供する。【解決手段】砂防堰堤１０の上流側に設置される流木捕捉体１であって、前記流木捕捉体１は、閉断面空間を形成する閉断面形成部材２と、前記閉断面空間内に充填される中詰材３と、前記閉断面空間内に設けられ前記中詰材３内に固定される鞘管４と、前記鞘管４内に挿入して立ち上がる流木捕捉柱部材５とからなる。前記閉断面形成部材２は、複数のセグメント１２を連結して構成する場合がある。また、前記流木捕捉柱部材５は、前記鞘管内に脱着可能に挿入されている。【選択図】図２
2020105762.tif 000002
【特許請求の範囲】
【請求項１】
砂防堰堤の上流側に設置される流木捕捉体であって、
前記流木捕捉体は、閉断面空間を形成する閉断面形成部材と、前記閉断面空間内に充填される中詰材と、前記閉断面空間内に設けられ前記中詰材内に固定される鞘管と、前記鞘管内に挿入して立ち上がる流木捕捉柱部材とからなることを特徴とする、流木捕捉体。
【請求項２】
前記閉断面形成部材は、複数のセグメントを連結して構成されることを特徴とする、請求項１に記載した流木捕捉体。
【請求項３】
前記流木捕捉柱部材は、前記鞘管内に脱着可能に挿入されていることを特徴とする、請求項１又は２に記載した流木捕捉体。
【請求項４】
前記流木捕捉柱部材は、１本又は複数本とされ、前記閉断面空間内に前記流木捕捉柱部材と同数の鞘管が設けられることを特徴とする、請求項１〜３のいずれか１項に記載した流木捕捉体。
【請求項５】
前記閉断面形成部材は、平面的にみて、円形状、小判形状、又は矩形状に形成されていることを特徴とする、請求項１〜４のいずれか１項に記載した流木捕捉体。
【請求項６】
前記鞘管は、有底筒状に形成されていることを特徴とする、請求項１〜５のいずれか１項に記載した流木捕捉体。
【請求項７】
前記鞘管は、前記閉断面形成部材に設けられた支保部材に支持されていることを特徴とする、請求項１〜６のいずれか１項に記載した流木捕捉体。
【請求項８】
前記支保部材は、前記閉断面形成部材に設けられた補強リング、縦梁、又は切梁を利用して設けられていることを特徴とする、請求項７に記載した流木捕捉体。
【請求項９】
前記鞘管は、その上端が前記中詰材の表面と略面一に埋め込まれていることを特徴とする、請求項１〜８のいずれか１項に記載した流木捕捉体。
【請求項１０】
砂防堰堤の上流側に設置される流木捕捉体の構築工法であって、
前記上流側の所定箇所に、閉断面空間を形成する閉断面形成部材を立設する工程と、
前記閉断面形成部材を利用して支保部材を取りつけて前記支保部材に有底筒状の鞘管を支持させる工程と、
前記閉断面空間内に中詰材を充填して前記鞘管を固定すると共に、前記鞘管内に流木捕捉柱部材を挿入して立ち上げる工程と、
からなることを特徴とする、流木捕捉体の構築工法。
【請求項１１】
砂防堰堤の上流側に設置される流木捕捉体の構築工法であって、
前記上流側の所定箇所に、閉断面空間を形成する閉断面形成部材を立設する工程と、
前記閉断面空間内の所定高さまで中詰材を充填する工程と、
前記中詰材の上面に鞘管を位置決めする工程と、
前記中詰材の上面に更に中詰材を充填して前記鞘管を固定すると共に、前記鞘管内に流木捕捉柱部材を挿入して立ち上げる工程と、
からなることを特徴とする、流木捕捉体の構築工法。
【請求項１２】
砂防堰堤の上流側に設置される流木捕捉工の設置構造であって、
前記流木捕捉工は、複数の請求項１〜９のいずれかの流木捕捉体からなり、前記複数の流木捕捉体は、前記流木捕捉柱部材の間隔が、想定される最大流木長の１／３〜１／２程度に離間し、かつ、想定される流木を捕捉するのに適正な配置に設置されていることを特徴とする、流木捕捉工の設置構造。
【請求項１３】
前記複数の流木捕捉体は、河川横断方向に略直線状の配置に離間して設置されていることを特徴とする、請求項１２に記載した流木捕捉工の設置構造。
【請求項１４】
前記複数の流木捕捉体は、略扇形状又は略逆扇形状を形成する配置に離間して設けられていることを特徴とする、請求項１２に記載した流木捕捉工の設置構造。
【請求項１５】
前記複数の流木捕捉体は、河川横断方向に沿って蛇行する配置に離間して設けられていることを特徴とする、請求項１２に記載した流木捕捉工の設置構造。
【発明の詳細な説明】
【技術分野】
【０００１】
この発明は、砂防、治山等の目的で河川の横断方向に構築される堰堤（以下、「砂防堰堤」と総称する。）に対し、その上流側に設置する流木捕捉体（流木捕捉工）の技術分野に属する。
なお、前記砂防堰堤は、既設、新設を問わず、また、主に不透過型を対象とするが、透過型であっても構わない。
【背景技術】
【０００２】
近年、流木捕捉対策工が進められており、下流側での災害をより効率よく防止するべく、前記砂防堰堤に流木捕捉工（流木捕捉機能）を付設することが要請されている。
しかし、前記砂防堰堤に前記流木捕捉工を後付けで設置する場合、前記砂防堰堤自体の強度が不足するためにコンクリートを増し打ちする必要があり、また、増し打ちしないときは設置できる大きさに限界があるため十分な流木の捕捉能力を得ることが困難である等、種々の問題があった。
そこで、前記砂防堰堤の上流側に、前記砂防堰堤とは切り離した構造の流木捕捉工を設置する技術が開示されている（例えば、特許文献１参照）。
【０００３】
前記特許文献１には、同文献１の図２が分かりやすいように、堰堤２の上流側の堆砂域に、前記堰堤２とは切り離した構成の捕捉体（流木捕捉工）３が開示されている。
この捕捉体３は、堰堤２の延在方向に沿って延在する１本の梁部３１と、この梁部３１の延在方向に沿って所定間隔おきに複数個連結された柱部３２と、柱部３２を保持する基礎部３３とが一体的に構成されている。前記基礎部３３は、前記複数の柱部３２をすべて一纏めに立設する構成の広大な規模の連続する底版コンクリートで形成されている（詳しくは、明細書の段落［００２６］参照）。
【０００４】
前記特許文献１によれば、既設の堰堤２に手を加えることなく、捕捉体３を効果的に設置でき、工事にかかるコストや時間を抑えることができる旨の記載が認められる(明細書の段落［００２１］（発明の効果）参照）。
【先行技術文献】
【特許文献】
【０００５】
【特許文献１】特開２０１７−７２０２０号公報
【発明の概要】
【発明が解決しようとする課題】
【０００６】
しかし、前記特許文献１に係る捕捉体（流木捕捉工）３は、前記複数の柱部３２をすべて一纏め（一体的）に立設するための広大な規模の連続する基礎部３３を構築するので、必然的に多くのコンクリート量が必要となり、コストが嵩む問題があった。コンクリートの山間部への運搬や打設作業を考慮すると、非常に煩雑でもあった。
また、堰堤２の上流側の堆砂域は地盤が緩いため、不同沈下が発生した場合は、この影響が前記基礎部３３の全体に及ぶので、捕捉体（流木捕捉工）３が機能しなくなることが懸念された。
さらに、捕捉体（流木捕捉工）３の補修工事も大掛かりなものとなり煩わしかった。
【０００７】
本発明は、上述した背景技術の課題に鑑みて案出されたものであり、その目的とするところは、堰堤の上流側に、前記堰堤とは切り離した構造で、かつ、隣接する流木捕捉体（の基礎同士）も切り離した構造で実施することにより、使用するコンクリート量を抑制でき、対策の必要な箇所に最適な配置で設置できる、施工性、経済性、及び自在性に優れた流木捕捉体および流木捕捉体の構築工法ならびに流木捕捉工の設置構造を提供することにある。
【課題を解決するための手段】
【０００８】
上記課題を解決するための手段として、請求項１に記載した発明に係る流木捕捉体は、  砂防堰堤の上流側に設置される流木捕捉体であって、
前記流木捕捉体は、閉断面空間を形成する閉断面形成部材と、前記閉断面空間内に充填される中詰材と、前記閉断面空間内に設けられ前記中詰材内に固定される鞘管と、前記鞘管内に挿入して立ち上がる流木捕捉柱部材とからなることを特徴とする。
【０００９】
請求項２に記載した発明は、請求項１に記載した流木捕捉体において、前記閉断面形成部材は、複数のセグメントを連結して構成されることを特徴とする。
【００１０】
請求項３に記載した発明は、請求項１又は２に記載した流木捕捉体において、前記流木捕捉柱部材は、前記鞘管内に脱着可能に挿入されていることを特徴とする。
【００１１】
請求項４に記載した発明は、請求項１〜３のいずれか１項に記載した流木捕捉体において、前記流木捕捉柱部材は、１本又は複数本とされ、前記閉断面空間内に前記流木捕捉柱部材と同数の鞘管が設けられることを特徴とする。
【００１２】
請求項５に記載した発明は、請求項１〜４のいずれか１項に記載した流木捕捉体において、前記閉断面形成部材は、平面的にみて、円形状、小判形状、又は矩形状に形成されていることを特徴とする。
【００１３】
請求項６に記載した発明は、請求項１〜５のいずれか１項に記載した流木捕捉体において、前記鞘管は、有底筒状に形成されていることを特徴とする。
【００１４】
請求項７に記載した発明は、請求項１〜６のいずれか１項に記載した流木捕捉体において、前記鞘管は、前記閉断面形成部材に設けられた支保部材に支持されていることを特徴とする。
【００１５】
請求項８に記載した発明は、請求項７に記載した流木捕捉体において、前記支保部材は、前記閉断面形成部材に設けられた補強リング、縦梁、又は切梁を利用して設けられていることを特徴とする。
【００１６】
請求項９に記載した発明は、請求項１〜８のいずれか１項に記載した流木捕捉体において、前記鞘管は、その上端が前記中詰材の表面と略面一に埋め込まれていることを特徴とする。
【００１７】
請求項１０に記載した発明に係る流木捕捉体の構築工法は、砂防堰堤の上流側に設置される流木捕捉体の構築工法であって、
前記上流側の所定箇所に、閉断面空間を形成する閉断面形成部材を立設する工程と、
前記閉断面形成部材を利用して支保部材を取りつけて前記支保部材に有底筒状の鞘管を支持させる工程と、
前記閉断面空間内に中詰材を充填して前記鞘管を固定すると共に、前記鞘管内に流木捕捉柱部材を挿入して立ち上げる工程と、からなることを特徴とする。
【００１８】
請求項１１に記載した発明に係る流木捕捉体の構築工法は、砂防堰堤の上流側に設置される流木捕捉体の構築工法であって、
前記上流側の所定箇所に、閉断面空間を形成する閉断面形成部材を立設する工程と、
前記閉断面空間内の所定高さまで中詰材を充填する工程と、
前記中詰材の上面に鞘管を位置決めする工程と、
前記中詰材の上面に更に中詰材を充填して前記鞘管を固定すると共に、前記鞘管内に流木捕捉柱部材を挿入して立ち上げる工程と、
からなることを特徴とする。
【００１９】
請求項１２に記載した発明に係る流木捕捉工の設置構造は、砂防堰堤の上流側に設置される流木捕捉工の設置構造であって、
前記流木捕捉工は、複数の請求項１〜９のいずれかの流木捕捉体からなり、前記複数の流木捕捉体は、前記流木捕捉柱部材の間隔が、想定される最大流木長の１／３〜１／２程度に離間し、かつ、想定される流木を捕捉するのに適正な配置に設置されていることを特徴とする。
【００２０】
請求項１３に記載した発明は、請求項１２に記載した流木捕捉工の設置構造において、前記複数の流木捕捉体は、河川横断方向に略直線状の配置に離間して設置されていることを特徴とする。
【００２１】
請求項１４に記載した発明は、請求項１２に記載した流木捕捉工の設置構造において、前記複数の流木捕捉体は、略扇形状又は略逆扇形状を形成する配置に離間して設けられていることを特徴とする。
【００２２】
請求項１５に記載した発明は、請求項１２に記載した流木捕捉工の設置構造において、前記複数の流木捕捉体は、河川横断方向に沿って蛇行する配置に離間して設けられていることを特徴とする。
【発明の効果】
【００２３】
本発明に係る流木捕捉体および流木捕捉体の構築工法ならびに流木捕捉工の設置構造によれば、以下の作用効果を奏する。
（１）１体あたりの流木捕捉体の径を２ｍ程度（２ｍ程度以上でも可）の独立基礎形式で堆砂域（堆砂敷）に設置できるので、砂防堰堤とは切り離した構造で実施できることはもとより、隣接する流木捕捉体同士も切り離した構造で実施でき、従来のような広大な規模の連続する底版コンクリートの基礎部を必要としない。
よって、使用するコンクリート量を抑制でき、対策の必要な箇所に最適な配置で流木捕捉体を複数設置できる（図１、図７、及び図１９等参照）等、施工性、経済性、及び自在性に優れた流木捕捉体および流木捕捉体の構築工法ならびに流木捕捉工の設置構造を実現できる。
（２）より具体的にいえば、流木捕捉体の形態は、堆砂域の地形（図８参照）に応じて適宜設計変更可能であり、流木捕捉体の配置は、設置箇所の堆砂域の強度や高さ等の性状に応じて、単配置でも複数配置でもよく、複数配置の場合はランダム配置のほか、河川横断方向に略直線状の配置に離間して設置できるし（図１参照）、略扇形状（図７参照）又は略逆扇形状（図１９参照）を形成する配置に離間して設置できるし、河川横断方向に沿って蛇行する配置に離間して設置することもできる。例えば、堆砂域の地形や設置箇所の堆砂域の性状に応じて図１に係る流木捕捉体と図１１に係る流木捕捉体と図１４に係る流木捕捉体とを混在させて実施することもできる。
（３）独立基礎形式で実施しているので、流木捕捉体が沈下又は倒れを生じても、他の流木捕捉柱体に影響を与えることはない。損傷した場合は、損傷した流木捕捉体を補修することで対応できるので、経済的かつ合理的である。
（４）独立基礎形式で実施しているので、隣接する流木捕捉体の構築作業の進捗状況等に一切左右されることなく構築でき、流木捕捉体の設置の順序にも制約がなく、複数年にわたる分割施工や施設の追加、撤去を容易に行うことができる。
（５）例えば、ライナープレートで実施する場合は、土留め、仮締め切りが可能で地下水を有する現場でもポンプアップが容易となりドライ施工も可能で施工性に優れている。
【図面の簡単な説明】
【００２４】
【図１】Ａは、本発明に係る流木捕捉体を堰堤の上流側に設置した状態を概略的に示した平面図であり、Ｂは同立面図である。
【図２】Ａは、本発明に係る流木捕捉体の実施例１を示した立面図であり、Ｂは、同平面図である。
【図３】Ａは、コンクリートを充填する前段階の流木捕捉体を示した平面図であり、Ｂは、Ａの支保部材（Ｈ形鋼）のＢ−Ｂ線矢視断面図である。
【図４】図３に係る流木捕捉体のコンクリートを充填する前段階を示した斜視図である。
【図５】図４のバリエーションを示した斜視図である。
【図６】Ａ〜Ｃは、流木捕捉柱部材を鞘管に取り付ける手法を段階的に示した説明図であり、ＤとＥは、Ｃの要部を示した平断面図である。
【図７】Ａは、本発明に係る流木捕捉体を堰堤の上流側に設置した状態を概略的に示した平面図であり、Ｂは同立面図である。
【図８】Ａ〜Ｃは、本発明に係る流木捕捉体を堰堤の上流側に設置した状態を上流側からみたバリエーション図である。
【図９】Ａは、図３とは異なる手段で鞘管を支持するバリエーション（実施例２）を示した平面図であり、Ｂは、Ａの支保部材（Ｈ形鋼）のＢ−Ｂ線矢視断面図である。
【図１０】図９に係る流木捕捉体のコンクリートを充填する前段階を示した斜視図である。
【図１１】Ａは、本発明に係る流木捕捉体を堰堤の上流側に設置した状態のバリエーション（実施例３）を概略的に示した平面図であり、Ｂは同立面図である。
【図１２】Ａは、図１１に係る流木捕捉体を側面方向からみた立面図であり、Ｂは、同正面方向からみた立面図である。
【図１３】Ａは、図１１に係る流木捕捉体を示した平面図であり、Ｂは、コンクリートを充填する前段階の流木捕捉体を示した平面図である。
【図１４】Ａは、本発明に係る流木捕捉体を堰堤の上流側に設置した状態のバリエーション（実施例４）を概略的に示した平面図であり、Ｂは同立面図である。
【図１５】Ａは、図１４に係る流木捕捉体を側面方向からみた立面図であり、Ｂは、同側面方向からみた立断面図である。
【図１６】Ａは、図１４に係る流木捕捉体を正面方向からみた立面図であり、Ｂは、同正面方向からみた立断面図である。
【図１７】Ａは、図１４に係る流木捕捉体のコンクリートを充填する前段階を示した平面図であり、Ｂは、同コンクリートの充填後を示した平面図である。
【図１８】図１４に係る流木捕捉体のコンクリートを充填する前段階を示した斜視図である。
【図１９】Ａは、本発明に係る流木捕捉体を堰堤の上流側に設置した状態を概略的に示した平面図であり、Ｂは同立面図である。
【発明を実施するための形態】
【００２５】
次に、本発明に係る流木捕捉体および流木捕捉体の構築工法ならびに流木捕捉工の設置構造の実施例を図面に基づいて説明する。
【実施例１】
【００２６】
図１Ａ、Ｂは、砂防堰堤１０の上流側に、本発明に係る流木捕捉体１を複数（図示例では５体）設置して河川の上流側から流れてくる流木を捕捉する実施例を示している。ちなみに図中の符号Ｓは元渓床面を示し、符号Ｔは堆砂面を示している。
【００２７】
前記流木捕捉体１は、図２Ａ、Ｂに示したように、閉断面空間を形成する閉断面形成部材２と、前記閉断面空間内に充填される中詰材３と、前記閉断面空間内に設けられ前記中詰材３内に固定される鞘管４と、前記鞘管４内に挿入して立ち上がる流木捕捉柱部材５とからなる。
【００２８】
前記閉断面形成部材２は、本実施例では、所要の強度・剛性を備えた複数のセグメント１２を連結してなる構成で実施されている。より具体的には、一例として、外径が２ｍ程度の円筒形を周方向に略４等分割したに等しい弧状に形成され、その上下左右の端部には内側に突出するフランジが設けられた、高さが５０ｃｍ程度のライナープレート１２で実施されている。
図２に係る閉断面形成部材２は、前記ライナープレート１２を周方向に４体、及び軸方向に４体を千鳥状にフランジ接続し、もって直径が２ｍ程度、高さが２ｍ程度の円筒形状に構築されている。そして、前記円筒形状に形成したライナープレート１２の天端部には、前記ライナープレート１２と同様の曲率で湾曲された断面Ｈ形状の金属製の補強リング６がボルト（図示略）で留め付けられている。ちなみに図示例に係る補強リング６は、外径が２ｍ程度の円筒形を周方向に略４等分割したに等しい弧状に形成した４つの補強リング片６ａからなり、隣接する補強リング片６ａ、６ａ同士は連結プレート７で連結されている。
【００２９】
なお、前記ライナープレート１２の形状や大きさは前記に限定されず、構造設計に応じて適宜設計変更可能である。前記閉断面形成部材２の形状や大きさも勿論前記に限定されず、構造設計に応じて適宜設計変更可能である（図１９Ｂ等参照）。
また、前記閉断面形成部材２を構成する部材は前記ライナープレート１２に限定されず、閉断面空間を形成できる所要の強度、剛性を備えた部材であればよい。例えば、鋼製セグメント、ＰＣセグメント、コルゲートパイプ、鋼板セル、鋼矢板セル、大口径管、又は型枠でも同様に実施できる。前記型枠で実施する場合は、コンクリート３の養生後に撤去（脱型）することができる。
以下に説明する実施例２〜４についても同様の技術的思想とする。
【００３０】
前記中詰材３は、本実施例ではコンクリート３で実施しているがこれに限定されず、ソイルセメント、現地発生土（礫・栗石・砕石等の石を含む。）でも同様に実施できる。例えば、前記閉断面空間内の鞘管４の下面付近までは前記現地発生土を充填し、前記現地発生土の上にコンクリート３を充填するような混合タイプでも勿論実施できる。
前記鞘管４は、角形鋼管とベースプレートとからなる金属製の有底筒状で実施されており、前記閉断面形成部材２が形成する閉断面空間内に充填するコンクリート３により、前記閉断面空間の略中央の上方部に固定される。より具体的には、充填するコンクリート３が鞘管４の内部に入り込まないように前記鞘管４の上端（天端）が前記コンクリート３の表面と略面一に埋め込まれる部位に位置決めされる。
本実施例に係る鞘管４の大きさは一例として、高さが６５０ｍｍ程度、ベースプレートの一辺が７００ｍｍ程度、ベースプレート上面の角形鋼管部の幅が５００ｍｍ程度、肉厚が９ｍｍ程度で実施されている。
【００３１】
なお、本実施例では、図３と図４に示したように、前記鞘管４の側面から四方（平面視十字状）へ突き出すように支保部材（Ｈ形鋼）８が溶接等の接合手段で一体的に設けられている。前記閉断面空間内へのコンクリート３の打設作業を１回で完了させるための工夫であり、これについては後述する。ちなみに、各支持部材８の先端には予め前記連結プレート７が溶接等の接合手段で一体的に設けられており、前記補強リング６の取り付け作業とほぼ同時期に前記鞘管４の位置決め作業が行われる。
また、前記補強リング６は必須の部材ではない。前記補強リング６の代わりに縦梁１８（図１８等参照）を用いても同様に実施できるし、そもそも閉断面形成部材２を床掘り（オープンカット）工法で設置する場合は前記補強リング６や縦梁１８を用いなくても実施可能である。
また、前記鞘管４は、本実施例では前記閉断面空間の平面視略中央部に固定しているがこれに限定されず、平面視で上下左右に偏倚させた位置に固定することも勿論できる。本実施例の場合は、前記支保部材８の長さを適宜調整することにより簡単に実現することができる。
さらに、前記支保部材８は前記Ｈ形鋼のほか、アングル（Ｌ形鋼）、Ｃ形鋼等の種々の形鋼で実施できる。ちなみに図５に係る支保部材８にはアングル８が用いられ、その先端部にＣ形鋼７ａを一体的に設け、ライナープレート１２の上フランジに補強リング６を用いることなく前記Ｃ形鋼７ａを直接被せる（掛け止める）ように位置決めし、ボルト（図示略）で留め付ける構成で実施している。
【００３２】
前記流木捕捉柱部材５は、金属製の丸形鋼管で実施されており、前記鞘管４に脱着可能に挿入され、鉛直に起立する姿勢で立設される。
本実施例に係る流木捕捉柱部材５の大きさは一例として、頂部に備えた吊り金具を含めた高さが２８００ｍｍ程度、丸形鋼管部の外径が３２０ｍｍ程度、肉厚が１０ｍｍ程度で実施されている。
【００３３】
前記鞘管４内に前記流木捕捉柱部材５を挿入して立設する構成について更に説明すると、本実施例では、図６に例示したように、前記流木捕捉柱部材５は、その外周面に径方向へ対照配置に突き出した２つの鉛直部材１１を備えており、前記鞘管４は、その内壁面の対向する２辺に前記流木捕捉柱部材５の鉛直姿勢を保持するための水平部材１３ａと、前記水平部材１３ａに垂設されたストッパ部材１３ｂとを備えている。
前記鉛直部材１１、水平部材１３ａ、及びストッパ部材１３ｂの位置関係は、図６Ａ〜Ｃに段階的に示したように、前記鞘管４内へ前記流木捕捉柱部材５の下端部を鉛直に建て込み、反時計回り（又は時計回り）に回動させると、前記流木捕捉柱部材５の鉛直部材１１、１１が前記ストッパ部材１３ｂ、１３ｂに同時に突き当たって引き抜き不能となる構成で実施されている（図６Ｄ、Ｅも参照）。前記鞘管４の内側面と前記流木捕捉柱部材５の外周面との間に形成された隙間には適宜、現地発生土や砂が充填される。
【００３４】
なお、前記鞘管４内に前記流木捕捉柱部材５を挿入して立設する構成はもちろん前記に限定されず、前記鞘管４内に前記流木捕捉柱部材５を安定した姿勢で脱着可能に立設できることを条件に適宜設計変更可能である（例えば、本出願人が既に出願し国際公開されたＷＯ２０１３／０４２７３５等を参照）。
ちなみに、前記鉛直部材１１、水平部材１３ａ、及びストッパ部材１３ｂは、図６以外の図面では図示の便宜上適宜省略していることを念のため特記しておく。
【００３５】
次に、流木捕捉体１の構築工法について説明する。
本発明に係る流木捕捉体１の構築工法は、砂防堰堤１０の上流側に設置される流木捕捉体１の構築工法であって、前記上流側の所定箇所に、閉断面空間を形成する閉断面形成部材２を立設する工程と、前記閉断面形成部材２を利用して前記閉断面形成部材２の内壁部に支保部材８を取りつけて前記支保部材８に有底筒状の鞘管４を支持させる工程（図３、図４参照）と、前記閉断面空間内に中詰材（コンクリート）３を充填して前記鞘管４を固定すると共に、前記鞘管４内に流木捕捉柱部材５を挿入して立ち上げる工程（図２等参照）とからなる。
【００３６】
前記閉断面形成部材２は、本実施例のようにライナープレート１２で実施する場合、周方向および軸方向にフランジ接続して立体的に組み立てる。なお、図示例に係る閉断面形成部材２は平面的にみて円形状で実施しているが、小判形状（後述）や矩形状で実施することもできる。また、図示例に係る閉断面形成部材２は、２ｍ程度の高さで実施しているので、通常、床掘り（オープンカット）工法で実施されるが、図１９Ｂ等に５ｍ程度の高さの閉断面形成部材２（流木捕捉体１）を例示したように、２ｍを超えるような閉断面形成部材２を構築する場合は逆巻き工法で実施することが好ましい。その他、ライナープレート１２以外の部材（前記段落［００２９］参照）で実施する場合は、個々の部材の特性に応じた手法で閉断面形成部材２を構築する。
以下に説明する実施例２〜４についても同様の技術的思想とする。
【００３７】
本実施例では、前記ライナープレート１２で所要の大きさの円筒形状に組み立てた後、その天端部に前記補強リング片６ａからなる補強リング６を設置している（前記段落［００２８］参照）。
そして、隣接する補強リング片６ａ、６ａ同士の外周面と内周面とをそれぞれ連結プレート７、７で連結する作業を行う際に、前記鞘管４を前記閉断面空間内の略中央の上端部に位置決めして取り付ける。
【００３８】
前記鞘管４は、前記段落［００３１］で説明したように、その角形鋼管部の側面（の上端部中央位置）から四方へ突き出すように支保部材８（Ｈ形鋼）が溶接等の接合手段で一体的に設けられ、さらに前記支保部材８の先端に連結プレート７が溶接等の接合手段で一体的に設けられてユニット化されている。
【００３９】
よって、前記構成のユニット化した鞘管４の位置決め作業は、前記支保部材８が間隔保持部材（スペーサー）の役割を果たすのでスムーズに行うことができる。かくして、前記鞘管４を前記閉断面空間内の略中央の上端部に位置決めした後は、前記支保部材８の先端の連結プレート７を前記隣接する補強リング片６ａ、６ａ同士の突き合わせ部に跨がるように当てがい、前記連結プレート７及び前記補強リング片６ａ、６ａに予め穿設しておいたボルト通し孔の芯を一致させてボルト９を通し（図３Ｂ参照）、ナットで締結して取り付ける。この取り付け作業を、前記支保部材８の数量（図示例では４本）に応じて行い、もって、本実施例では、前記鞘管４を閉断面空間内の略中央の上方部に固定する。前記補強リング６を含めた閉断面形成部材２の天端と前記鞘管４の上端（天端）は、図３Ｂ、図４から分かるように、略同じ高さレベルに揃えられている。
なお、前記ボルト９を通すためのボルト通し孔（図示略）を微調整可能なルーズ孔（長孔）に形成する等の工夫は適宜行われるところである。
【００４０】
次に、前記鞘管４が取り付けられた閉断面空間内にコンクリート３を充填（打設）する。本実施例に係るコンクリート３は、前記閉断面形成部材２および前記鞘管４の天端まで、さらにいえば、前記支保部材８（の上フランジ）が表面から見えなくなる程度まで充填する。この充填作業と相前後して、前記鞘管４内に前記流木捕捉柱部材５を挿入して立設する（詳しくは前記段落［００３３］参照）。
【００４１】
上記した流木捕捉体１の構築工法によれば、コンクリート３を充填する前に、予め、閉断面空間内に有底筒状の鞘管４を所定部位に位置決め固定しておくことができるので、閉断面空間内へのコンクリート３の打設作業を１回で完了させることができる。
ちなみに、コンクリート３の打設作業を２回で完了させる場合は、前記閉断面形成部材２を立設する工程の後、前記閉断面空間内の所定高さまでコンクリート３を充填する工程を行い、前記コンクリート３の養生後、前記コンクリート３の上面に鞘管４を位置決めする工程を行い、前記コンクリート３の上面に更にコンクリート３を前記閉断面形成部材２および前記鞘管４の天端まで充填して前記鞘管４を固定すると共に、前記鞘管４内に流木捕捉柱部材５を挿入して立ち上げる。
【００４２】
したがって、上記した流木捕捉体１の構築工法により構築した流木捕捉体１は、１体あたりの径が２ｍ程度（２ｍ程度以上でも可）の独立基礎形式で堆砂域に設置できるので、前記堰堤１０とは切り離した構造で実施できることはもとより、隣接する流木捕捉体１、１同士も切り離した構造で実施でき、従来のような広大な規模の連続する底版コンクリートの基礎部を必要としない。
よって、使用するコンクリート量を抑制でき、対策の必要な箇所に最適な配置で流木捕捉体１を設置できる（図１、図７、及び図１９参照）。
具体的に、流木捕捉体１の形態は、堆砂域の地形１７（図８参照）に応じて適宜設計変更可能であり、流木捕捉体１の配置は、設置箇所の堆砂域の強度や高さ等の性状に応じて、単配置でも複数配置でもよく、複数配置の場合はランダム配置のほか、河川横断方向に略直線状の配置に離間して設置できるし（図１参照）、略扇形状（図７参照）又は略逆扇形状（図１９参照）を形成する配置に離間して設置できるし、河川横断方向に沿って蛇行する配置に離間して設置することもできる。
ちなみに、隣接する流木捕捉体１の設置間隔は、前記流木捕捉柱部材５の間隔が、想定される最大流木長の１／３〜１／２程度に離間するように設置することが好ましい。
【実施例２】
【００４３】
図９と図１０は、実施例２に係る流木捕捉体１を示している。
この実施例２に係る流木捕捉体１は、上記実施例１と比し、前記鞘管４を前記閉断面形成部材２へ取り付ける支保部材８の構成が相違する。なお、上記実施例１と同様の部材は同一の符号を付してその説明を適宜省略する。
【００４４】
すなわち、この実施例２に係る流木捕捉体１の支保部材は、前記鞘管４を間に挟むように平行な長短の支保部材（Ｈ形鋼）１４、１５を縦横（略井桁状）に組む構成で実施され、前記鞘管４は、支保部材１４、１５のうちのいずれか（図示例では短い方の平行な支保部材１５）とアングル１６を介して溶接等の接合手段で一体的に設けてユニット化されている。
前記長い方の平行な支保部材１４、１４は、前記閉断面形成部材２（補強リング６）の内周壁に架設可能な長さで実施され、その先端部には前記補強リング６ａと同様の曲率で湾曲する取付プレート１４ａが溶接等の接合手段で一体的に設けられている。一方、前記短い方の平行な支保部材１５、１５は、前記支保部材１４、１４に十分に届く程度の長さで実施され、本実施例では、前記支保部材１４、１４とフランジ接合手段で一体化されている。
なお、前記補強リング６は必須の部材ではないこと、前記鞘管４の設置位置は平面視略中央部に限定されないこと、及び前記支保部材１４、１５は前記Ｈ形鋼のほか、アングル（Ｌ形鋼）、Ｃ形鋼等の種々の形鋼で実施できることは前記した通りである（前記段落［００３１］参照）。
【００４５】
この実施例２に係る流木捕捉体１の構築工法は、上記実施例１に係る流木捕捉体１の構築工法と同様の手順で行われる（前記段落［００３５］〜［００４０］参照）。また、コンクリート３を前記支保部材１４が表面から見えなくなる程度まで充填した後の流木捕捉体１は上記実施例１に係る流木捕捉体１と外形上（外観上）違いがない。
したがって、この実施例２に係る流木捕捉体１の構築工法により構築した流木捕捉体１は、上記実施例１に係る流木捕捉体１と外形上違いがないので、上記実施例１と同様の作用効果を奏する（詳しくは前記［００４２］参照）。
【実施例３】
【００４６】
図１１〜図１３は、実施例３に係る流木捕捉体２１を示している。
この実施例３に係る流木捕捉体２１は、上記実施例１、２と比し、閉断面空間の平面積をより広く形成して閉断面空間内に２本の流木捕捉柱部材５を設けた点、および補強リング６の設置部位を一段下げた点が主に相違する。なお、上記実施例１と同様の部材は同一の符号を付してその説明を適宜省略する。
【００４７】
すなわち、本実施例３に係る閉断面形成部材２は、一例として、外径が４．５ｍ程度の円筒形を周方向に略９等分割したに等しい弧状に形成され、その上下左右の端部には内側に突出するフランジが設けられた、高さが５０ｃｍ程度のライナープレート１２で実施されている。
図示例に係る閉断面形成部材２は、前記ライナープレート１２を周方向に９体、及び軸方向に４体を千鳥状にフランジ接続し、もって直径が４．５ｍ程度、高さが２ｍ程度の円筒形状に構築されている。前記円筒形状に形成したライナープレート１２のうち最上段とその１つ下の段のライナープレート１２、１２の間には、前記ライナープレート１２と同様の曲率で湾曲された断面Ｈ形状の金属製の補強リング６がボルトで留め付けられている。ちなみに図示例に係る補強リング６は、外径が４．５ｍ程度の円筒形を周方向に略４等分割したに等しい弧状に形成した４つの補強リング片６ａからなり、隣接する補強リング片６ａ、６ａ同士は連結プレート７で連結されている。
【００４８】
前記鞘管４は、閉断面空間内に、想定される最大流木長の１／３〜１／２程度に離間して２つ設置されている。前記２つの鞘管４を支持する支保部材は、本実施例では、図１３Ｂに示したように、前記離間した２つの鞘管４、４をそれぞれ間に挟むように平行な長短の支保部材（Ｈ形鋼）１４、１５を縦横に組む構成で実施され、前記鞘管４は、支保部材１４、１５のうちのいずれか（図示例では短い方の平行な支保部材１５）の上面に鞘管４のベースプレートをバランスよく載置してボルト等の接合手段で一体的に設けてユニット化されている。また、前記鞘管４は、上記実施例１と同様に、充填するコンクリート３が鞘管４の内部に入り込まないように前記鞘管４の上端（天端）が前記コンクリート３の表面と略面一に埋め込まれる部位に位置決めされる。
前記長い方の平行な支保部材１４、１４は、前記閉断面形成部材２（補強リング６）の内周壁に架設可能な長さで実施され、その先端部には、前記補強リング６ａと同様の曲率で湾曲する取付プレートを溶接等の接合手段で一体的に設けられている。一方、前記短い方の平行な支保部材１５、１５は、前記支保部材１４、１４に十分に届く程度の長さで実施され、本実施例では、前記支保部材１４、１４とフランジ接合手段で一体化されている（図１０を援用して参照）。
【００４９】
この実施例３に係る流木捕捉体２１の構築工法は、上記実施例１、２に係る流木捕捉体１の構築工法と同様の手順で行われるものの、前記したような相違点も認められるので前記相違点を中心に以下に説明する。
【００５０】
すなわち、本実施例３に係る流木捕捉体２１の構築工法は、砂防堰堤１０の上流側に設置される流木捕捉体２１の構築工法であって、前記上流側の所定箇所に、閉断面空間を形成する閉断面形成部材２を立設する工程と、前記閉断面形成部材２を利用して前記閉断面形成部材２の内壁部に支保部材１４等を取りつけて前記支保部材１４等に有底筒状の鞘管４を２つ支持させる工程（図１３Ｂ等参照）と、前記閉断面空間内に中詰材（コンクリート）３を充填して前記２つの鞘管４、４を固定すると共に、前記鞘管４、４内にそれぞれ流木捕捉柱部材５、５を挿入して立ち上げる工程（図１２Ｂ等参照）とからなる。
【００５１】
本実施例では、前記閉断面形成部材２を前記ライナープレート１２で所要の大きさの円筒形状に組み立てる際に、最上段とその１つ下の段のライナープレート１２、１２との間に前記補強リング６（補強リング片６ａ）をサンドイッチ状に挟み込み、ボルトで留め付ける作業を行う。前記連結プレート７で連結する作業も行う。
【００５２】
前記ユニット化した鞘管４、４の位置決め作業は、前記支保部材１４が間隔保持部材（スペーサー）の役割を果たすのでスムーズに行うことができる。前記支保部材１４の先端の取付プレートを、対応する補強リング６（補強リング片６ａ）の内周面に当てがいボルト接合し、もって、前記支保部材１５を介して前記鞘管４、４が所定部位に位置決めされる（図１３Ｂ参照）。前記位置決めされた鞘管４、４の天端は、閉断面形成部材２の天端と略同じ高さレベルに揃えられている。
【００５３】
次に、前記鞘管４、４が取り付けられた閉断面空間内にコンクリート３を充填する。本実施例に係るコンクリート３は、前記閉断面形成部材２および前記鞘管４、４の天端まで、さらにいえば、前記支保部材１４（の上フランジ）が表面から見えなくなる程度まで充填する。この充填作業と相前後して、各鞘管４内に前記流木捕捉柱部材５を挿入して立設する（前記段落［００３３］参照）。
【００５４】
したがって、上記流木捕捉体２１の構築工法により構築した流木捕捉体２１は、上記実施例１、２と比し、１体あたりの径が４．５ｍ程度とサイズの違いがある程度で、独立基礎形式で堆砂域に設置でき、従来のような広大な規模の連続する底版コンクリートの基礎部を必要としない構成に変わりはない。よって、上記実施例１、２と同様の作用効果を奏する（詳しくは前記［００４２］参照）。
【００５５】
なお、前記中詰材３はコンクリート３に限定されないこと、前記補強リング６は必須の部材ではないこと、及び前記支保部材１４、１５は前記Ｈ形鋼のほか、アングル（Ｌ形鋼）、Ｃ形鋼等の種々の形鋼で実施できることは前記した通りである（前記段落［００３０］、［００３１］参照）。
また、本実施例３では、前記２つの鞘管４、４にそれぞれ鉛直方向に長い流木捕捉柱部材５、５を挿入して実施しているが、これに限定されない。例えば、図示は省略するが、前記２つの鞘管４、４を河川の流れ方向に、かつ適宜傾けて設け、河川の流れ方向へ開脚する構成の側面視Ａ字形状（いわゆるＡ型スリットダム）、又は入字形状等の流木捕捉柱部材の脚部を挿入して立設して実施することもできる。
【実施例４】
【００５６】
図１４〜図１８は、実施例４に係る流木捕捉体３１を示している。
この実施例４に係る流木捕捉体３１は、上記実施例１〜３と比し、前記閉断面形成部材２を、平面的にみて小判形状に形成して実施している点が主に相違する。なお、上記実施例１と同様の部材は同一の符号を付してその説明を適宜省略する。
【００５７】
前記小判形状の閉断面形成部材２は、従来工法と同じように、弧状のライナープレート１２と直線状のライナープレート１２とを適宜組み合わせて構築され、本実施例では一例として、短辺部が２ｍ程度、長辺部が３.６ｍ程度、高さが１．５ｍ程度の大きさで実施されている。また、前記小判形状の閉断面形成部材２は、従来のライナープレート１２による小判形状の閉断面空間を構築する場合と同様に、閉断面空間の形態を保持するための補強用の縦梁１８及び切梁１９が取りつけられる構造で、本実施例４では、前記縦梁１８及び切梁１９を利用して鞘管４を所定部位（略中央の上方部）に位置決めする構成で実施される。
前記鞘管４は、図１８が分かりやすいように、２本の平行な支保部材（長尺のアングル）２０、２０で挟持される構成で、前記支保部材２０、２０とアングル２３、２３を介して溶接等の接合手段で一体的に設けてユニット化されている。
【００５８】
次に、実施例４に係る流木捕捉体３１の構築工法について説明する。
本発明に係る流木捕捉体３１の構築工法は、砂防堰堤１０の上流側に設置される流木捕捉体３１の構築工法であって、上記実施例１〜３と同様に、前記上流側の所定箇所に、閉断面空間を形成する閉断面形成部材２を立設する工程と、前記閉断面形成部材２を利用して前記閉断面形成部材２の内壁部に支保部材２０を前記縦梁１８及び切梁１９を介して取りつけて前記支保部材２０に有底筒状の鞘管４を支持させる工程（図１８等参照）と、前記閉断面空間内に中詰材（コンクリート）３を充填して前記鞘管４を固定すると共に、前記鞘管４内に流木捕捉柱部材５を挿入して立ち上げる工程（図１５等参照）とからなる。
【００５９】
前記閉断面形成部材２を前記弧状のライナープレート１２と直線状のライナープレート１２とを適宜組み合わせて構築する場合は、小判形状に形成した閉断面形成部材２の対向する２つの平行な直線部の両端部の４箇所に、長方形の頂点に相当する配置で、天端部に取付プレート２２を備えた前記縦梁（図示例ではＣ形鋼）１８を建て込む。そして、前記取付プレート２２を最上段のライナープレート２の天端部にボルト接合することにより前記縦梁１８を前記閉断面形成部材２に固定する。また、短辺方向に対応する縦梁１８、１８の間に前記切梁（図示例では長尺のアングル）１９を上下二段配置で架設し、もって閉断面形成部材２（閉断面空間）の形態が保持される。
【００６０】
次に、前記ユニット化した鞘管４を、前記切梁１９を利用して位置決めする。前記ユニット化した鞘管４の固定作業は、前記支保部材（長尺のアングル）２０、２０の両端部をそれぞれ前記平行な切梁１９、１９の上面に載置してボルト等の接合手段で接合することにより行う。前記位置決め固定された鞘管４の天端は、閉断面形成部材２の天端と略同じ高さレベルに揃えられている。なお、前記ボルト接合するためのボルト通し孔を微調整可能なルーズ孔（長孔）に形成する等の工夫は適宜行われるところである。
しかる後、前記閉断面空間内にコンクリート３を充填して前記鞘管４を固定すると共に、前記鞘管４内に流木捕捉柱部材５を挿入して立ち上げる。
【００６１】
したがって、上記流木捕捉体３１の構築工法により構築した流木捕捉体３１は、上記実施例１〜３と比し、閉断面形成部材２の平面形状は異なるものの、独立基礎形式で堆砂域に設置でき、従来のような広大な規模の連続する底版コンクリートの基礎部を必要としない構成に変わりはない。よって、上記実施例１〜３と同様の作用効果を奏する（詳しくは前記［００４２］参照）。
なお、前記中詰材３はコンクリート３に限定されない（前記段落［００３０］参照）。前記縦梁１８や切梁１９は、Ｃ形鋼やアングルのほか、Ｈ形鋼でも勿論実施可能である。
【００６２】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【符号の説明】
【００６３】
１    流木捕捉体
２    閉断面形成部材
３    中詰材（コンクリート）
４    鞘管
５    流木捕捉柱部材
６    補強リング
６ａ  補強リング片
７    連結プレート
７ａ  Ｃ形鋼
８    支保部材（Ｈ形鋼）
９    ボルト
１０    砂防堰堤
１１    鉛直部材
１２    ライナープレート（セグメント）
１３ａ  水平部材
１３ｂ  ストッパ部材
１４    支保部材（Ｈ形鋼）
１４ａ  取付プレート
１５    支保部材（Ｈ形鋼）
１６    アングル
１７    地形
１８    縦梁
１９    切梁
２０    支保部材（長尺のアングル）
２１    流木捕捉体
２２    取付プレート
２３    アングル
３１    流木捕捉体
Ｓ    元渓床面
Ｔ    堆砂面
【図１】
2020105762.tif 000003
【図２】
2020105762.tif 000004
【図３】
2020105762.tif 000005
【図４】
2020105762.tif 000006
【図５】
2020105762.tif 000007
【図６】
2020105762.tif 000008
【図７】
2020105762.tif 000009
【図８】
2020105762.tif 000010
【図９】
2020105762.tif 000011
【図１０】
2020105762.tif 000012
【図１１】
2020105762.tif 000013
【図１２】
2020105762.tif 000014
【図１３】
2020105762.tif 000015
【図１４】
2020105762.tif 000016
【図１５】
2020105762.tif 000017
【図１６】
2020105762.tif 000018
【図１７】
2020105762.tif 000019
【図１８】
2020105762.tif 000020
【図１９】
2020105762.tif 000021